(57)【要約】【課題】  ＣＲ積分回路を含む遅延回路を用いてマスク信号を生成する場合であっても安定して所望時間幅のマスク信号を生成する。【解決手段】  電源電圧の降下を検出し、当該検出の結果をパルス状の電圧検出信号として出力する電源電圧監視手段と、電圧検出信号の時間幅を既定時間幅まで拡張するパルス幅拡張手段と、静電容量と抵抗値とによって既定される時定数に基づいてパルス幅拡張手段の出力信号を遅延させて出力するＣＲ遅延手段と、該ＣＲ遅延手段の出力信号と前記パルス幅拡張手段の出力信号と被マスク信号との論理積を取る論理積ロジック回路とを具備し、既定時間幅はＣＲ遅延手段が安定動作し得る時間幅に設定される。【選択図】      図１
2005123809.tif 000002
【特許請求の範囲】
【請求項１】
電源電圧の降下を検出し、当該検出の結果をパルス状の電圧検出信号として出力する電源電圧監視手段と、
前記電圧検出信号の時間幅を既定時間幅まで拡張するパルス幅拡張手段と、
静電容量と抵抗値とによって既定される時定数に基づいて前記パルス幅拡張手段の出力信号を遅延させて出力するＣＲ遅延手段と、
該ＣＲ遅延手段の出力信号と前記パルス幅拡張手段の出力信号と被マスク信号との論理積を取る論理積ロジック回路とを具備し、
前記既定時間幅はＣＲ遅延手段が安定動作し得る時間幅に設定されることを特徴とする信号マスク装置。
【請求項２】
パルス幅拡張手段は、静電容量と抵抗値とによって既定される時定数に基づいて電圧検出信号の時間幅を拡張することを特徴とする請求項1記載の信号マスク装置。
【発明の詳細な説明】
【技術分野】
【０００１】
本発明は、信号マスク装置に関する。
【背景技術】
【０００２】
信号マスク装置は、例えば電源の異常等の何らかの原因で装置動作が不安定な場合に当該装置から出力信号が外部機器に出力されることを防止するものである。装置動作が不安定な状態における出力信号は正常な信号ではない。信号マスク装置は、このような正常でない出力信号が外部機器に悪影響を与えることがないように異常時に出力信号を強制的にマスクして外部機器への悪影響を防止するものである。このような信号マスク装置の基本構成は、異常を示す異常検出信号に基づいてマスク信号を生成し、このマスク信号と被マスク信号の論理積を取ることによって被マスク信号をマスクするというものである。
【０００３】
上記マスク信号の生成回路には種々のものがあるが、一例として異常の発生期間を示す異常検出信号を遅延回路を用いることによって一定時間遅延させた遅延信号を生成し、論理積ロジック回路を用いて当該遅延信号と異常検出信号との論理積を取ることによって時間幅が異常検出信号よりも長いマスク信号を生成する。このようなマスク信号は、時間幅が異常検出信号よりも長いので、出力信号を異常期間に亘って確実にマスクすることができる。例えば特開平０５−０９３０２２号公報には、このような信号マスク装置の一例として、出力信号の一種であるアラーム信号をマスクするためのアラーム信号マスク回路が開示されている。
【特許文献１】特開平０５−０９３０２２号公報
【発明の開示】
【発明が解決しようとする課題】
【０００４】
ここで、上記遅延回路には種々の形態のものがあるがコスト的なメリットを追求した場合には、コンデンサと抵抗器とからなるＣＲ積分回路が望ましい。このようなＣＲ積分回路の場合、遅延時間がコンデンサの静電容量と抵抗器の抵抗値から一義的に決まる時定数によって規定されるため、遅延時間をある程度大きく設定するためには、時定数をその分大きな値に設定する必要がある。しかしながら、遅延回路としてＣＲ積分回路を用いた場合には、時定数との兼ね合いで次のような問題点がある。すなわち、遅延回路の入力信号である異常検出信号の時間幅が狭い場合、つまり異常発生期間が短い場合に、時定数が大きな遅延回路は、このような短時間幅の異常検出信号に応答せず、したがって所望時間幅のマスク信号を生成することができない。この結果、被マスク信号の安定したマスク処理ができない。
【０００５】
本発明は、上述した事情に鑑みてなされたものであり、以下の点を目的とするものである。
（１）ＣＲ積分回路を含む遅延回路を用いてマスク信号を生成する場合であっても安定して所望時間幅のマスク信号を生成する。
（２）ＣＲ積分回路を含む遅延回路を用いてマスク信号を生成する場合であっても安定したマスク処理を実現する。
【課題を解決するための手段】
【０００６】
上記目的を達成するために、本発明では、電源電圧の降下を検出し、当該検出の結果をパルス状の電圧検出信号として出力する電源電圧監視手段と、電圧検出信号の時間幅を既定時間幅まで拡張するパルス幅拡張手段と、静電容量と抵抗値とによって既定される時定数に基づいてパルス幅拡張手段の出力信号を遅延させて出力するＣＲ遅延手段と、該ＣＲ遅延手段の出力信号と前記パルス幅拡張手段の出力信号と被マスク信号との論理積を取る論理積ロジック回路とを具備し、既定時間幅はＣＲ遅延手段が安定動作し得る時間幅に設定される、という解決手段を採用する。
【発明の効果】
【０００７】
そして、このような解決手段によれば、パルス幅拡張手段は電圧検出信号の時間幅（パルス幅）をＣＲ遅延手段が安定動作し得る時間幅に設定された既定時間幅に拡張するので、電圧検出信号のパルス幅がＣＲ遅延手段が安定動作し得ない短パルス幅であっても、つまり電源が瞬断した場合であっても、ＣＲ遅延手段は、パルス幅拡張手段の出力信号を安定して遅延させる。この結果、マスク信号が安定生成されるので、被マスク信号の安定したマスク処理を実現することができる。
【発明を実施するための最良の形態】
【０００８】
以下、図面を参照して、本発明の一実施形態について説明する。
図１は、本実施形態に係わる信号マスク装置の機能構成を示す回路図である。この図において、符号１は電圧低下検出回路、２はパルス幅拡張回路、３はＣＲ遅延回路、４及び５はＡＮＤゲート回路である。電圧低下検出回路１は電源電圧ａの異常、つまり異常低下を検出し、その検出の結果をパルス状の電圧検出信号ｂとしてパルス幅拡張回路２に出力する。この電圧低下検出回路１は、例えばコンパレータ回路であり、電源電圧ａを検出基準となる異常しきい値電圧と比較することにより、電源電圧ａが異常しきい値電圧を下回っている期間に相当するパルス幅の電圧検出信号ｂを出力する。
【０００９】
パルス幅拡張回路２は、上記電圧検出信号ｂのパルス幅を既定パルス幅、つまり後段のＣＲ遅延回路３が安定的に応答するパルス幅に拡張しパルス幅拡張信号ｃとしてＣＲ遅延回路３及びＡＮＤゲート回路４に出力する。このパルス幅拡張回路２は、例えば静電容量と抵抗値とによって既定される時定数、つまりコンデンサと抵抗器からなるＣＲ積分回路を用いて電圧検出信号ｂを積分することによって、電圧検出信号ｂのパルス幅を既定パルス幅に拡張する。
【００１０】
ＣＲ遅延回路３は、静電容量と抵抗値とによって既定される時定数に基づいて上記パルス幅拡張信号ｃを一定時間遅延させ、遅延信号ｄとしてＡＮＤゲート回路４に出力する。すなわち、このＣＲ遅延回路３も上記パルス幅拡張回路２と同様にＣＲ積分回路を用いるものであり、当該ＣＲ積分回路の時定数に基づいてパルス幅拡張信号ｃを遅延させる。
【００１１】
ＡＮＤゲート回路４は、上記パルス幅拡張信号ｃと遅延信号ｄの論理積を取り、当該論理結果としてのマスク信号ｅをＡＮＤゲート回路５に出力する。ＡＮＤゲート回路５は、上記マスク信号ｅと被マスク信号ｆとの論理積を取り、当該論理結果としての出力信号ｇを外部に出力する。
【００１２】
次に、このように構成された信号マスク装置の動作について図２をも参照して詳しく説明する。
【００１３】
上記電圧低下検出回路１は、電源電圧ａを常時監視し、当該電源電圧ａが異常しきい値電圧を下回るような異常降下を示した場合には、電源電圧ａが異常しきい値電圧を下回っている期間に相当するパルス幅の電圧検出信号ｂを生成してパルス幅拡張回路２に出力する。すなわち、電圧検出信号ｂのパルス幅は、電源電圧ａの異常降下期間に相当する。
【００１４】
ここで、電源の瞬断、例えば数ｍｓ（ミリ秒）程度の期間における電源電圧ａの異常降下が発生した場合、電圧検出信号ｂのパルス幅は、当然に電源電圧ａの異常降下期間と同様な数ｍｓ（ミリ秒）程度の時間幅となる。上記ＣＲ遅延回路３は、このような短パルス幅の電圧検出信号ｂが直接入力された場合、自らの時定数が比較的大きいために正常に応答せず、電圧検出信号ｂを所望の一定時間だけ遅延させた信号を出力しない場合がある。
【００１５】
しかしながら、本信号マスク装置では、パルス幅拡張回路２を設けることにより、電圧検出信号ｂのパルス幅を既定パルス幅に拡張した後にＣＲ遅延回路３に入力するので、当該ＣＲ遅延回路３は安定動作する。すなわち、図２に示すように、短パルス幅Ｔ1の電圧検出信号ｂは、パルス幅拡張回路２によって長パルス幅Ｔ2のパルス幅拡張信号ｃに変換される。そして、このような長パルス幅Ｔ2のパルス幅拡張信号ｃがＣＲ遅延回路３に入力されることによって、当該ＣＲ遅延回路３は安定的にパルス幅拡張信号ｃを一定時間Ｔ3だけ遅延させて遅延信号ｄを出力する。
【００１６】
ＡＮＤゲート回路４は、このようなパルス幅拡張信号ｃと遅延信号ｄの論理積を取ることにより、論理レベルがパルス幅拡張信号ｃ及び遅延信号ｄの何れの論理レベルもが「Ｈ（ハイ）」となる期間だけ「Ｈ（ハイ）」となるマスク信号ｅを生成する。そして、ＡＮＤゲート回路５は、上記マスク信号ｅと被マスク信号ｆとの論理積を取ることにより、マスク信号ｅの論理レベルが「Ｌ（ロー）」である期間おいて図示するように被マスク信号ｆが存在する場合であっても、当該被マスク信号ｆを出力信号ｇとして外部に出力させない。すなわち、被マスク信号ｆは、マスク信号ｅによってマスクされる。
【００１７】
このような本実施形態によれば、ＣＲ遅延回路３が誤動作することなく安定動作するので、所望のマスク信号ｅを安定的に得ることが可能であり、よって被マスク信号ｆに対して所望のマスク処理を安定的に施すことができる。すなわち、信頼性の高い信号マスク装置を実現することが可能である。
【００１８】
なお、本発明は上記実施形態に限定されるものではなく、例えば以下のような変形例が考えられる。
（１）上記実施形態におけるパルス幅拡張回路２はコンデンサと抵抗器からなるＣＲ積分回路を用いて電圧検出信号ｂのパルス幅を既定パルス幅に拡張するものであるが、このような構成は回路を簡単化してコストを抑えるためであり、このようなコスト抑制の必要がない場合には、他のより複雑な回路構成を採用しても良い。
【００１９】
（２）上記実施形態では論理積ロジック回路を２入力のＡＮＤゲート回路４，５によって構成したが、本発明はこれに限定されるものではない。遅延信号ｄとマスク信号ｅと被マスク信号ｆとの論理積を取るロジック回路の構成は種々考えられるので、他のロジック回路採用しても良い。ＡＮＤゲート回路４，５に代えて、例えば３入力のＡＮＤゲート回路を用いても良い。
【図面の簡単な説明】
【００２０】
【図１】本発明の一実施形態に係わる信号マスク装置の機能構成を示す回路図である。
【図２】本発明の一実施形態に係わる信号マスク装置の動作を示すタイミングチャートである。
【符号の説明】
【００２１】
１…電圧低下検出回路、２…パルス幅拡張回路、３…ＣＲ遅延回路、４…ＡＮＤゲート回路、５…ＡＮＤゲート回路
【図１】
2005123809.tif 000003
【図２】
2005123809.tif 000004